(57)【要約】【課題】用途の限定されない周波数での放送を適切に送受信可能な放送システム、送信装置、受信装置、送信方法及び受信方法を提供する。【解決手段】送信装置１０は、同一の放送データを２つのセグメントに割り当ててＯＦＤＭフレームを構成して、当該ＯＦＤＭフレームに対応するアナログ信号を送信し、その後、遅延時間が経過すると、再度、同一のＯＦＤＭフレームを構成して、当該ＯＦＤＭフレームに対応するアナログ信号を送信する。一方、受信装置２０は、送信装置１０からの各アナログ信号に対応する放送データを受信し、これらのタイミングを一致させた上で合成する。【選択図】図１
2008271221.tif 000002
【特許請求の範囲】
【請求項１】
送信装置及び受信装置により構成され、用途が限定されない周波数を有する放送データを無線により送受信する放送システムであって、
前記送信装置は、
同一の放送データについて、複数の送信タイミングを設定する送信タイミング設定手段と、
前記送信タイミング設定手段により設定された複数の送信タイミングのそれぞれにおいて、前記同一の放送データを送信する送信手段とを有し、
前記受信装置は、
前記複数の送信タイミングに対応する複数の受信タイミングで前記同一の放送データを受信する受信手段と、
前記受信手段により複数の受信タイミングで受信された前記同一の放送データのタイミングを一致させるタイミング一致処理手段と、
前記タイミング一致処理手段によりタイミングが一致した前記同一の放送データを合成する合成手段とを有することを特徴とする放送システム。
【請求項２】
前記送信装置は、前記放送データに複数の周波数を設定する周波数設定手段を有し、
前記送信手段は、前記周波数設定手段により設定された複数の周波数のそれぞれを有する前記同一の放送データを送信し、
前記受信手段は、前記複数の周波数のそれぞれを有する前記同一の放送データを受信し、
前記合成手段は、前記受信手段により受信された前記複数の周波数のそれぞれを有する前記同一の放送データを合成することを特徴とする請求項１に記載の放送システム。
【請求項３】
用途が限定されない周波数を有する放送データを無線送信する送信装置であって、
同一の放送データについて、複数の送信タイミングを設定する送信タイミング設定手段と、
前記送信タイミング設定手段により設定された複数の送信タイミングのそれぞれにおいて、前記同一の放送データを送信する送信手段とを有することを特徴とする送信装置。
【請求項４】
前記送信タイミング設定手段は、前記放送データを入力し、所定時間遅らせて前記送信手段へ出力する遅延手段を有することを特徴とする請求項３に記載の送信装置。
【請求項５】
前記送信タイミング設定手段は、前記用途が限定されない周波数における干渉電波の発生タイミングに基づいて、前記複数の送信タイミングを設定することを特徴とする請求項３又は４に記載の送信装置。
【請求項６】
前記放送データに複数の周波数を設定する周波数設定手段を有し、
前記送信手段は、前記周波数設定手段により設定された複数の周波数のそれぞれを有する前記同一の放送データを送信することを特徴とする請求項３乃至５のいずれかに記載の送信装置。
【請求項７】
前記周波数設定手段は、前記用途が限定されない周波数における干渉電波の周波数に基づいて、前記複数の周波数を設定することを特徴とする請求項６に記載の送信装置。
【請求項８】
用途が限定されない周波数を有する放送データを無線受信する受信装置であって、
送信装置から複数の送信タイミングで送信される同一の放送データを、該複数の送信タイミングに対応する複数の受信タイミングで受信する受信手段と、
前記受信手段により複数の受信タイミングで受信された前記同一の放送データのタイミングを一致させるタイミング一致処理手段と、
前記タイミング一致処理手段によりタイミングが一致した前記同一の放送データを合成する合成手段とを有することを特徴とする受信装置。
【請求項９】
前記タイミング一致処理手段は、前記受信手段により受信された前記同一の放送データを入力し、前記同一の放送データのそれぞれの前記受信タイミングに対応する所定時間遅らせて前記合成手段へ出力する遅延手段を有することを特徴とする請求項８に記載の受信装置。
【請求項１０】
前記受信手段は、前記送信装置から複数の周波数のそれぞれを有する同一の放送データを受信し、
前記合成手段は、前記受信手段により受信された前記複数の周波数のそれぞれを有する前記同一の放送データを合成することを特徴とする請求項８又は９に記載の受信装置。
【請求項１１】
用途が限定されない周波数を有する放送データを無線送信する送信装置における送信方法であって、
同一の放送データについて、複数の送信タイミングを設定する送信タイミング設定ステップと、
前記送信タイミング設定ステップにより設定された複数の送信タイミングのそれぞれにおいて、前記同一の放送データを送信する送信ステップとを有することを特徴とする送信方法。
【請求項１２】
前記放送データに複数の周波数を設定する周波数設定ステップを有し、
前記送信ステップは、前記周波数設定ステップにより設定された複数の周波数のそれぞれを有する前記同一の放送データを送信することを特徴とする請求項１１に記載の送信方法。
【請求項１３】
用途が限定されない周波数を有する放送データを無線受信する受信装置における受信方法であって、
送信装置から複数の送信タイミングで送信される同一の放送データを、該複数の送信タイミングに対応する複数の受信タイミングで受信する受信ステップと、
前記受信ステップにより複数の受信タイミングで受信された前記同一の放送データのタイミングを一致させるタイミング一致処理ステップと、
前記タイミング一致処理ステップによりタイミングが一致した前記同一の放送データを合成する合成ステップとを有することを特徴とする受信装置。
【請求項１４】
前記受信ステップは、前記送信装置から複数の周波数のそれぞれを有する同一の放送データを受信し、
前記合成ステップは、前記受信手段により受信された前記複数の周波数のそれぞれを有する前記同一の放送データを合成することを特徴とする請求項１３に記載の受信方法。
【発明の詳細な説明】
【技術分野】
【０００１】
本発明は、用途が限定されない周波数を有する放送データを送受信する放送システム、当該放送システムにおける送信装置、受信装置、送信方法及び受信方法に関する。
【背景技術】
【０００２】
近年、地上デジタル放送の開始に伴い、据え置き型のテレビ受像機のみならず、携帯電話機等の様々な機器も地上デジタル放送の受信機能を有するようになっている（例えば、特許文献１参照）。
【０００３】
また、いわゆる市民バンドの周波数帯域（たとえば２．４［ＧＨｚ］帯域）は、技術基準適合証明を受けた無線設備を用い、且つ、空中線電力が所定値以下（例えば０．０５［Ｗ］以下）であれば、無線従事者免許を保有しない者であっても用途を限定せずに自由に利用することができる。そして、この市民バンドの周波数帯域を利用して狭い地域のきめ細かな情報について地上デジタル放送を行い、上述した各種の受信装置で受信可能とするサービスが提案されている。
【特許文献１】特開２００６−１５７５９５号公報
【発明の開示】
【発明が解決しようとする課題】
【０００４】
しかし、上述したように、市民バンドの周波数帯域は用途を限定せずに自由に利用可能であり、無線ＬＡＮ等において広く利用されている。このため、電波干渉により、送信装置によって送信された放送データを受信装置が受信できない場合も起こり得る。
【０００５】
本発明の目的は、上述した問題を解決するものであり、用途の限定されない周波数での放送を適切に送受信可能な放送システム、送信装置、受信装置、送信方法及び受信方法を提供するものである。
【課題を解決するための手段】
【０００６】
本発明に係る、送信装置及び受信装置により構成され、用途が限定されない周波数を有する放送データを無線により送受信する放送システムは、前記送信装置が、同一の放送データについて、複数の送信タイミングを設定する送信タイミング設定手段と、前記送信タイミング設定手段により設定された複数の送信タイミングのそれぞれにおいて、前記同一の放送データを送信する送信手段とを有し、前記受信装置が、前記複数の送信タイミングに対応する複数の受信タイミングで前記同一の放送データを受信する受信手段と、前記受信手段により複数の受信タイミングで受信された前記同一の放送データのタイミングを一致させるタイミング一致処理手段と、前記タイミング一致処理手段によりタイミングが一致した前記同一の放送データを合成する合成手段とを有することを特徴とする。
【０００７】
この構成によれば、送信装置が、同一の放送データを複数のタイミングで送信し、受信装置が、これら複数のタイミングで送信された同一の放送データを受信してタイミングを一致させた上で合成する。従って、同一の放送データは、異なるタイミングで複数回送受され、受信装置においてその放送データを得ることができ、いずれかのタイミングで電波干渉が生じた場合にも適切な送受信が可能となる。
【０００８】
また、本発明に係る放送システムは、前記送信装置が、前記放送データに複数の周波数を設定する周波数設定手段を有し、前記送信手段が、前記周波数設定手段により設定された複数の周波数のそれぞれを有する前記同一の放送データを送信し、前記受信手段が、前記複数の周波数のそれぞれを有する前記同一の放送データを受信し、前記合成手段が、前記受信手段により受信された前記複数の周波数のそれぞれを有する前記同一の放送データを合成するようにしてもよい。
【０００９】
この構成によれば、送信装置が、同一の放送データを複数の周波数を用いて送信し、受信装置が、これら複数の周波数のそれぞれを有する同一の放送データを受信して合成する。従って、同一の放送データは、異なる周波数で複数回送受され、受信装置においてその放送データを得ることができ、いずれかの周波数で電波干渉が生じた場合にも適切な送受信が可能となる。
【００１０】
本発明に係る、用途が限定されない周波数を有する放送データを無線送信する送信装置は、同一の放送データについて、複数の送信タイミングを設定する送信タイミング設定手段と、前記送信タイミング設定手段により設定された複数の送信タイミングのそれぞれにおいて、前記同一の放送データを送信する送信手段とを有することを特徴とする。
【００１１】
この構成によれば、送信装置は、同一の放送データを複数のタイミングで送信しており、受信装置では、これら複数のタイミングで送信された同一の放送データを受信することが可能となる。従って、同一の放送データは、異なるタイミングで複数回送受され、受信装置においてその放送データを得ることができ、いずれかのタイミングで電波干渉が生じた場合にも適切な送受信が可能となる。
【００１２】
同様の観点から、本発明に係る送信装置は、前記送信タイミング設定手段が、前記放送データを入力し、所定時間遅らせて前記送信手段へ出力する遅延手段を有するようにしてもよい。
【００１３】
また、本発明に係る送信装置は、前記送信タイミング設定手段が、前記用途が限定されない周波数における干渉電波の発生タイミングに基づいて、前記複数の送信タイミングを設定するようにしてもよい。
【００１４】
この構成によれば、用途が限定されない周波数における干渉電波の発生タイミングが把握可能である場合には、その発生タイミングを避けて送信タイミングを設定するようにすることで、電波干渉が生じた場合にも適切な送受信が可能となる。
【００１５】
また、本発明に係る送信装置は、前記放送データに複数の周波数を設定する周波数設定手段を有し、前記送信手段が、前記周波数設定手段により設定された複数の周波数のそれぞれを有する前記同一の放送データを送信するようにしてもよい。
【００１６】
この構成によれば、送信装置が、同一の放送データを複数の周波数を用いて送信することで、受信装置では、これら複数の周波数のそれぞれを有する同一の放送データを受信することができる。同一の放送データは、異なる周波数で複数回送受され、受信装置においてその放送データを得ることができ、いずれかの周波数で電波干渉が生じた場合にも適切な送受信が可能となる。
【００１７】
また、本発明に係る送信装置は、前記周波数設定手段が、前記用途が限定されない周波数における干渉電波の周波数に基づいて、前記複数の周波数を設定するようにしてもよい。
【００１８】
この構成によれば、用途が限定されない周波数における干渉電波の周波数が把握可能である場合には、その周波数を避けて周波数を設定するようにすることで、電波干渉が生じた場合にも適切な送受信が可能となる。
【００１９】
本発明に係る、用途が限定されない周波数を有する放送データを無線受信する受信装置は、送信装置から複数の送信タイミングで送信される同一の放送データを、該複数の送信タイミングに対応する複数の受信タイミングで受信する受信手段と、前記受信手段により複数の受信タイミングで受信された前記同一の放送データのタイミングを一致させるタイミング一致処理手段と、前記タイミング一致処理手段によりタイミングが一致した前記同一の放送データを合成する合成手段とを有することを特徴とする。
【００２０】
この構成によれば、送信装置が同一の放送データを複数のタイミングで送信した場合に、受信装置は、これら複数のタイミングで送信された同一の放送データを受信してタイミングを一致させた上で合成する。従って、同一の放送データは、異なるタイミングで複数回送受され、受信装置においてその放送データを得ることができ、いずれかのタイミングで電波干渉が生じた場合にも適切な送受信が可能となる。
【００２１】
同様の観点から、本発明に係る受信装置は、前記タイミング一致処理手段が、前記受信手段により受信された前記同一の放送データを入力し、前記同一の放送データのそれぞれの前記受信タイミングに対応する所定時間遅らせて前記合成手段へ出力する遅延手段を有するようにしてもよい。
【００２２】
また、本発明に係る受信装置は、前記受信手段が、前記送信装置から複数の周波数のそれぞれを有する同一の放送データを受信し、前記合成手段が、前記受信手段により受信された前記複数の周波数のそれぞれを有する前記同一の放送データを合成するようにしてもよい。
【００２３】
この構成によれば、送信装置が、同一の放送データを複数の周波数を用いて送信する場合に、受信装置は、これら複数の周波数のそれぞれを有する同一の放送データを受信して合成する。従って、同一の放送データは、異なる周波数で複数回送受され、受信装置においてその放送データを得ることができ、いずれかの周波数で電波干渉が生じた場合にも適切な送受信が可能となる。
【００２４】
本発明に係る、用途が限定されない周波数を有する放送データを無線送信する送信装置における送信方法は、同一の放送データについて、複数の送信タイミングを設定する送信タイミング設定ステップと、前記送信タイミング設定ステップにより設定された複数の送信タイミングのそれぞれにおいて、前記同一の放送データを送信する送信ステップとを有することを特徴とする。
【００２５】
また、本発明に係る送信方法は、前記放送データに複数の周波数を設定する周波数設定ステップを有し、前記送信ステップが、前記周波数設定ステップにより設定された複数の周波数のそれぞれを有する前記同一の放送データを送信するようにしてもよい。
【００２６】
本発明に係る、用途が限定されない周波数を有する放送データを無線受信する受信装置における受信方法は、送信装置から複数の送信タイミングで送信される同一の放送データを、該複数の送信タイミングに対応する複数の受信タイミングで受信する受信ステップと、前記受信ステップにより複数の受信タイミングで受信された前記同一の放送データのタイミングを一致させるタイミング一致処理ステップと、前記タイミング一致処理ステップによりタイミングが一致した前記同一の放送データを合成する合成ステップとを有することを特徴とする。
【００２７】
また、本発明に係る受信方法は、前記受信ステップが、前記送信装置から複数の周波数のそれぞれを有する同一の放送データを受信し、前記合成ステップが、前記受信手段により受信された前記複数の周波数のそれぞれを有する前記同一の放送データを合成するようにしてもよい。
【発明の効果】
【００２８】
本発明によれば、同一の放送データは、異なるタイミングで複数回送受され、受信装置においてその放送データを得ることができ、いずれかのタイミングで電波干渉が生じた場合にも適切な送受信が可能となる。
【発明を実施するための最良の形態】
【００２９】
以下、本発明を実施するための最良の形態について、図面に基づいて説明する、
【００３０】
図１は、本発明の実施の形態に係る放送システムの構成を示す図である。図１に示す放送システムは、送信装置１０及び受信装置２０により構成される。送信装置１０は、画像情報及び音声情報を含んだ２．４ＧＨｚ帯域の市民バンド周波数を有する放送データを無線送信し、受信装置２０は、その放送データを無線受信する。
【００３１】
図２は、送信装置１０の構成を示す図である。図２に示す送信装置１０は、多重信号・階層分割部１０２と、誤り訂正符号化・インターリーブ部１０４−１乃至１０４−ｎと、送信タイミング設定手段及び遅延手段に対応する遅延部１０６−１乃至１０６−ｎと、周波数設定手段に対応するマッピング・ＯＦＤＭ（Orthogonal Frequency Division Multiplexing）フレーム構成部１０８と、逆高速フーリエ変換部（ＩＦＦＴ）１１０と、デジタル・アナログ（Ｄ／Ａ）コンバータ１１２と、送信手段に対応するＲ／Ｆ回路１１４と、送信手段に対応するアンテナ１１８とにより構成される。
【００３２】
多重信号・階層分割部１０２は、外部からの複数の放送データを多重化して含んだ多重放送信号を入力する。本実施形態では、多重放送信号内の放送データはｎ多重されている。更に、多重信号・階層分割部１０２は、入力した多重放送信号に含まれるｎ個の放送データを抽出し、後段の誤り訂正符号化・インターリーブ部１０４−１乃至１０４−ｎへ１個ずつ出力する。
【００３３】
誤り訂正符号化・インターリーブ部１０４−１は、１個の放送データを入力すると、当該放送データにリードソロモン畳み込み符号等の誤り訂正符号を付加する。更に、誤り訂正符号化・インターリーブ部１０４−１は、誤り訂正符号付加後の放送データについて、ビットの並びを入れ替える等のインターリーブ処理を行い、出力する。誤り訂正符号化・インターリーブ部１０４−１によって出力された放送データは、マッピング・ＯＦＤＭフレーム構成部１０８及び後段の遅延部１０６−１へ出力される。同様に、誤り訂正符号化・インターリーブ部１０４−２乃至１０４−ｎは、それぞれ１個の放送データを入力すると、当該放送データにリードソロモン畳み込み符号等の誤り訂正符号を付加する。更に、誤り訂正符号化・インターリーブ部１０４−２乃至１０４−ｎは、誤り訂正符号付加後の放送データについて、ビットの並びを入れ替える等のインターリーブ処理を行い、出力する。誤り訂正符号化・インターリーブ部１０４−２乃至１０４−ｎのそれぞれによって出力された放送データは、マッピング・ＯＦＤＭフレーム構成部１０８及び後段の遅延部１０６−２乃至１０６−ｎへ出力される。
【００３４】
遅延部１０６−１は、前段の誤り訂正符号化・インターリーブ部１０４−１からの１個の放送データを入力し、所定時間（遅延時間）だけ保持し、その後、マッピング・ＯＦＤＭフレーム構成部１０８へ出力する。同様に、遅延部１０６−２乃至１０６−ｎは、それぞれ前段の誤り訂正符号化・インターリーブ部１０４−２乃至１０４−ｎからの１個の放送データを入力し、所定時間（遅延時間）だけ保持し、その後、マッピング・ＯＦＤＭフレーム構成部１０８へ出力する。ここで、遅延部１０６−１乃至１０６−ｎにおける放送データの保持時間（遅延時間）は、他の装置における、市民バンド周波数を有する他のデータの送信タイミングが把握可能である場合には、その送信タイミングと、後段のアンテナ１１８によって送信される放送データの送信タイミングとが一致しないような時間に設定される。
【００３５】
マッピング・ＯＦＤＭフレーム構成部１０８は、誤り訂正符号化・インターリーブ部１０４−１乃至１０４−ｎからのｎ個の放送データを入力すると、これら放送データのそれぞれを、市民バンド周波数帯域の無線チャネルを構成するセグメントのうちの２つのセグメントに割り当てて、ＯＦＤＭフレームを構成する。従って、ＯＦＤＭフレームには、ｎ種類の放送データが２個ずつ含まれることになる。構成されたＯＦＤＭフレームは、ＩＦＦＴ１１０へ出力される。
【００３６】
その後、上述した遅延部１０６−１乃至１０６−ｎにおける放送データの保持時間（遅延時間）が経過すると、マッピング・ＯＦＤＭフレーム構成部１０８は、遅延部１０６−１乃至１０６−ｎからのｎ個の放送データを入力する。上述したように、誤り訂正符号化・インターリーブ部１０４−１乃至１０４−ｎは、それぞれ同一の放送データをマッピング・ＯＦＤＭフレーム構成部１０８と遅延部１０６−１とへ出力しており、遅延部１０６−１乃至１０６−ｎは、入力した放送データを遅延時間だけ保持した後、マッピング・ＯＦＤＭフレーム構成部１０８へ出力している。従って、マッピング・ＯＦＤＭフレーム構成部１０８は、誤り訂正符号化・インターリーブ部１０４−１乃至１０４−ｎからのｎ個の放送データを入力した後、遅延時間経過後に、遅延部１０６−１乃至１０６−ｎから再度同一のｎ個の放送データを入力することになる。
【００３７】
マッピング・ＯＦＤＭフレーム構成部１０８は、遅延部１０６−１乃至１０６−ｎからのｎ個の放送データを入力すると、これら放送データのそれぞれを、市民バンド周波数帯域の無線チャネルを構成するセグメントのうちの２つのセグメントに割り当てて、ＯＦＤＭフレームを構成する。このＯＦＤＭフレームは、上述した誤り訂正符号化・インターリーブ部１０４−１乃至１０４−ｎからの放送データにより構成されたＯＦＤＭフレームと同一の構成であり、ｎ種類の放送データが２個ずつ含まれる。構成されたＯＦＤＭフレームは、ＩＦＦＴ１１０へ出力される。ここで、マッピング・ＯＦＤＭフレーム構成部１０８は、他の装置における、市民バンド周波数を有する他のデータの当該周波数が把握可能である場合には、その周波数以外の周波数の無線チャネルを構成するセグメントに放送データを割り当てる。
【００３８】
図３は、放送データのセグメントへの割り当ての一例を示す図である。なお、図３においては、多重放送信号内に２個の放送データ＃１及び＃２が含まれており、誤り訂正符号化・インターリーブ部１０４−１が放送データ＃１をマッピング・ＯＦＤＭフレーム構成部１０８及び遅延部１０６−１へ出力し、誤り訂正符号化・インターリーブ部１０４−２が放送データ＃２をマッピング・ＯＦＤＭフレーム構成部１０８及び遅延部１０６−２へ出力する場合について説明する。また、遅延部１０６−１乃至１０６−２における放送データの保持時間（遅延時間）はｔであるものとする。
【００３９】
時刻Ｔにおいては、マッピング・ＯＦＤＭフレーム構成部１０８は、誤り訂正符号化・インターリーブ部１０４−１からの放送データ＃１と、誤り訂正符号化・インターリーブ部１０４−２からの放送データ＃２とを入力し、放送データ＃１をセグメント１及び３に割り当てるとともに、放送データ＃２をセグメント２及び４に割り当てて、ＯＦＤＭフレーム＃１を構成する。その後、時間ｔが経過した時刻Ｔ＋ｔにおいては、マッピング・ＯＦＤＭフレーム構成部１０８は、遅延部１０６−１からの放送データ＃１と、遅延部１０６−２からの放送データ＃２とを入力し、放送データ＃１をセグメント１及び３に割り当てるとともに、放送データ＃２をセグメント２及び４に割り当てて、ＯＦＤＭフレーム＃２を構成する。これらＯＦＤＭフレーム＃１及びＯＦＤＭフレーム＃２は、いずれもセグメント１及び３に放送データ＃１を含み、セグメント２及び４に放送データ＃２を含む構成となる。
【００４０】
ＩＦＦＴ１１０は、マッピング・ＯＦＤＭフレーム構成部１０８から出力された、誤り訂正符号化・インターリーブ部１０４−１乃至１０４−ｎからの放送データにより構成されたＯＦＤＭフレームを入力する。そして、ＩＦＦＴ１１０は、当該ＯＦＤＭフレームについて、逆高速フーリエ変換処理を行い、ＯＦＤＭ信号に変調する。このＯＦＤＭ信号は、Ｄ／Ａコンバータ１１２へ出力される。Ｄ／Ａコンバータ１１２は、入力したＯＦＤＭ信号をアナログ信号に変換し、Ｒ／Ｆ回路１２６へ出力する。Ｒ／Ｆ回路１２６は、入力したアナログ信号の空中線電力が所定値以下（例えば０．０５［Ｗ］以下）となるように制御し、当該アナログ信号を、アンテナ１１８を介して送信する。
【００４１】
その後、遅延時間が経過すると、ＩＦＦＴ１１０は、マッピング・ＯＦＤＭフレーム構成部１０８から出力された、遅延部１０６−１乃至１０６−ｎからの放送データにより構成されたＯＦＤＭフレームを入力する。そして、ＩＦＦＴ１１０は、上述と同様、当該ＯＦＤＭフレームについて、逆高速フーリエ変換処理を行い、ＯＦＤＭ信号に変調する。Ｄ／Ａコンバータ１１２は、このＯＦＤＭ信号をアナログ信号に変換し、Ｒ／Ｆ回路１２６へ出力する。Ｒ／Ｆ回路１２６は、このアナログ信号の空中線電力が所定値以下となるように制御し、当該アナログ信号を、アンテナ１１８を介して送信する。
【００４２】
このように、送信装置１０は、同一の放送データを２つのセグメントに割り当ててＯＦＤＭフレームを構成して、当該ＯＦＤＭフレームに対応するアナログ信号を送信し、その後、遅延部１０６−１乃至１０６−ｎにおける放送データの保持時間（遅延時間）が経過すると、再度、同一のＯＦＤＭフレームを構成して、当該ＯＦＤＭフレームに対応するアナログ信号を送信する。従って、同一の放送データが２つの周波数を用いて、二度のタイミングで送信されることになる。
【００４３】
図４は、受信装置２０の構成を示す図である。図４に示す受信装置２０は、受信手段に対応するアンテナ２０２と、受信手段に対応するＲ／Ｆ回路２０４と、アナログ・デジタル（Ａ／Ｄ）コンバータ２０６と、高速フーリエ変換部（ＦＦＴ）２０８と、タイミング一致処理手段及び遅延手段に対応する遅延部２１０−１乃至２１０−ｎと、合成手段に対応する合成部２１２−１乃至２１２−ｎと、誤り訂正復号化・デインターリーブ部２１４−１乃至２１４−ｎと、階層合成・多重化部２１６とにより構成される。
【００４４】
Ｒ／Ｆ回路２０４は、アンテナ２０２を介して、送信装置１０からのアナログ信号を受信し、Ａ／Ｄコンバータ２０６へ出力する。Ａ／Ｄコンバータ２０６は、入力したアナログ信号をＯＦＤＭ信号に変換し、ＦＦＴ２０８へ出力する。ＦＦＴ２０８は、Ａ／Ｄコンバータ２０６から出力されたＯＦＤＭ信号を入力し、当該ＯＦＤＭ信号について高速フーリエ変換処理を行い、ＯＦＤＭフレームに復調する。このＯＦＤＭフレームには、上述したように、ｎ種類の放送データがそれぞれ２個ずつ含まれる構成となっている。更に、ＦＦＴ２０８は、ＯＦＤＭフレームに２個ずつ含まれるｎ種類の放送データについて、１種類ずつ且つ２個ずつ、換言すれば、同一のものを２個ずつ遅延部２１０−１乃至２１０−ｎのそれぞれへ出力する。
【００４５】
遅延部２１０−１乃至２１０−ｎは、それぞれ２個の同一の放送データを入力すると、送信装置１０における遅延部１０６−２乃至１０６−ｎでの放送データの保持時間（遅延時間）だけ保持し、それぞれ後段の合成部２１２−１乃至２１２−ｎへ出力する。
【００４６】
更に、Ｒ／Ｆ回路２０４は、上述したアナログ信号の受信から上述した遅延時間経過後、再度、アンテナ２０２を介して、送信装置１０からのアナログ信号を受信する。このアナログ信号は、最初に受信されたアナログ信号と同一であり、上述したように、ｎ種類の放送データがそれぞれ２個ずつ含まれるＯＦＤＭフレームに対応するものである。Ａ／Ｄコンバータ２０６は、Ｒ／Ｆ回路２０４からのアナログ信号をＯＦＤＭ信号に変換し、ＦＦＴ２０８へ出力する。ＦＦＴ２０８は、Ａ／Ｄコンバータ２０６から出力されたＯＦＤＭ信号を入力し、当該ＯＦＤＭ信号について高速フーリエ変換処理を行い、ＯＦＤＭフレームに復調する。更に、ＦＦＴ２０８は、ＯＦＤＭフレームに２個ずつ含まれるｎ種類の放送データについて、１種類ずつ且つ２個ずつ、換言すれば、同一のものを２個ずつ合成部２１２−１乃至２１２−ｎへ出力する。ここで、最初のアナログ信号の受信の際に、遅延部２１０−１へ出力された２個の同一の放送データと、当該アナログ信号の受信から遅延時間経過後に合成部２１２−１へ出力された２個の同一の放送データとは同一である。他の遅延部２１０−２乃至２１０−ｎに出力される２個の同一の放送データと、他の合成部２１２−２乃至２１２−ｎに出力される２個の同一の放送データとの関係も同様であり、これらは同一である。
【００４７】
合成部２１２−１は、ＦＦＴ２０８からの２個の同種の放送データと、遅延部２１０−１からの２個の同種の放送データとを入力する。上述したように、ＦＦＴ２０８は、遅延部２１０−１へ２個の同一の放送データを出力した後、遅延時間経過後に、再度、その２個の同一の放送データを合成部２１２−１へ出力しており、遅延部２１０−１は、入力した２個の同一の放送データを遅延時間だけ保持して合成部２１２−１へ出力している。従って、合成部２１２−１には、ＦＦＴ２０８及び遅延部２１０−１から同時に４個の同一の放送データが入力されることになる。合成部２１２−１は、同時に入力した４個の同一の放送データを合成して１個の放送データを生成し、誤り訂正復号化・デインターリーブ部２１４−１へ出力する。
【００４８】
合成部２１２−２乃至２１２−ｎについても同様の処理が行われる。すなわち、合成部２１２−２乃至２１２−ｎには、ＦＦＴ２０８及び前段の遅延部２１０−１乃至２１０−ｎから同時に４個の同一の放送データが入力される。そして、合成部２１２−２乃至２１２−ｎは、同時に入力した４個の同一の放送データを合成して１個の放送データを構成し、後段の誤り訂正復号化・デインターリーブ部２１４−２乃至２１４−ｎへ出力する。
【００４９】
誤り訂正復号化・デインターリーブ部２１４−１乃至２１４−ｎは、それぞれ１個の放送データを入力すると、送信装置１０内の誤り訂正符号化・インターリーブ部１０４−１乃至１０４−ｎにおける処理に対応するデインターリーブ処理及び誤り訂正復号化を行い、階層合成・多重化部２１６へ出力する。階層合成・多重化部２１６は、誤り訂正復号化・デインターリーブ部２１４−１乃至２１４−ｎのそれぞれから１個ずつ出力される放送データを入力し、ｎ多重することによって、ｎ個の放送データを含む多重放送信号を生成し、外部へ出力する。この多重放送信号は、送信装置１０内の多重信号・階層分割部１０２に入力される多重放送信号と同一である。
【００５０】
このように、受信装置２０は、送信装置１０によって、２つの周波数を用いて、二度のタイミングで送信される放送データを受信し、これらのタイミングを一致させた上で合成する。従って、いずれかのタイミングあるいはいずれかの周波数で電波干渉が生じた場合にも適切な受信が可能となる。
【００５１】
なお、放送システムの構成は上述したものに限定されない。図５は、放送システムの他の構成を示す図である。図５に示す放送システムは、送信装置１１及び受信装置２２により構成される。送信装置１１は、画像情報及び音声情報を含んだ２．４ＧＨｚ帯域の市民バンド周波数を有する放送データを無線送信し、受信装置２２は、その放送データを無線受信する。
【００５２】
送信装置１１は、送信タイミング設定手段及び遅延手段に対応する遅延部１２と、送信部１３−１及び１３−２により構成される。外部からの単一の放送データを含んだ放送信号は、送信部１３−１と遅延部１２とに同時に入力される。遅延部１２は、外部からの単一の放送データを含んだ放送信号を入力すると、当該放送信号に含まれる放送データを所定時間（遅延時間）だけ保持し、その後、送信部１３−２へ出力する。従って、同一の放送データが、送信部１３−１に入力された後、遅延時間経過後に送信部１３−２に入力されることになる。送信部１３−１及び１３−２は、いずれか一方が発するクロックによって処理タイミングの同期がとられている。
【００５３】
図６は、送信部１３−１及び１３−２の構成を示す図である。図６に示す送信部１３−１及び１３−２は、誤り訂正符号化・インターリーブ部１２０と、周波数設定手段に対応するマッピング・ＯＦＤＭフレーム構成部１２２と、ＩＦＦＴ１２４と、Ｄ／Ａコンバータ１２６と、送信手段に対応するＲ／Ｆ回路１２８と、送信手段に対応するアンテナ１３０とにより構成される。
【００５４】
誤り訂正符号化・インターリーブ部１２０は、放送データを入力する。ここで、送信部１３−１内の誤り訂正符号化・インターリーブ部１２０は、外部からの放送信号に含まれる放送データを入力する。一方、送信部１３−２内の誤り訂正符号化・インターリーブ部１２０は、送信部１３−１内の誤り訂正符号化・インターリーブ部１２０に放送データが入力されてから遅延時間経過後に、遅延部１２からの当該放送データを入力する。その後は、送信部１３−１及び１３−２において同様の処理が行われる。
【００５５】
すなわち、誤り訂正符号化・インターリーブ部１２０は、入力した放送データに誤り訂正符号を付加するとともに、誤り訂正符号付加後の放送データについて、インターリーブ処理を行い、後段のマッピング・ＯＦＤＭフレーム構成部１２２へ出力する。
【００５６】
マッピング・ＯＦＤＭフレーム構成部１２２は、放送データを入力すると、これら放送データを、市民バンド周波数帯域の無線チャネルを構成するセグメントに割り当てて、ＯＦＤＭフレームを構成する。ここで、送信部１３−１内のマッピング・ＯＦＤＭフレーム構成部１２２により用いられる無線チャネルはＣＨ１であり、送信部１３−２内のマッピング・ＯＦＤＭフレーム構成部１２２により用いられる無線チャネルはＣＨ２であり、両者は周波数帯域が異なっている。構成されたＯＦＤＭフレームは、ＩＦＦＴ１２４へ出力される。
【００５７】
ＩＦＦＴ１２４は、マッピング・ＯＦＤＭフレーム構成部１２２からのＯＦＤＭフレームを入力し、当該ＯＦＤＭフレームについて、逆高速フーリエ変換処理を行い、ＯＦＤＭ信号に変調して、Ｄ／Ａコンバータ１２６へ出力される。Ｄ／Ａコンバータ１２６は、入力したＯＦＤＭ信号をアナログ信号に変換し、Ｒ／Ｆ回路１２８へ出力する。Ｒ／Ｆ回路１２８は、入力したアナログ信号の空中線電力が所定値以下（例えば０．０５［Ｗ］以下）となるように制御し、当該アナログ信号を、アンテナ１３０を介して送信する。
【００５８】
このように、送信部１３−１及び１３−２は、それぞれ同一の放送データをセグメントに割り当ててＯＦＤＭフレームを構成して、当該ＯＦＤＭフレームに対応するアナログ信号を送信している。また、上述したように、送信部１３−１内の誤り訂正符号化・インターリーブ部１２０が放送データを入力してから遅延時間経過後に、送信部１３−２内の誤り訂正符号化・インターリーブ部１２０が同一の放送データを入力しており、更に、送信部１３−１と送信部１３−２とは処理タイミングの同期がとられている。従って、送信部１３−１内のアンテナ１３０が放送データに対応するアナログ信号を送信してから遅延時間経過後に、送信部１３−２内のアンテナ１３０が同一の放送データに対応するアナログ信号を送信することになる。また、送信部１３−１と送信部１３−２とで、ＯＦＤＭフレームに対応する無線チャネルの周波数帯域は異なっている。従って、同一の放送データが二度のタイミングにおいて、それぞれ異なる周波数（ＣＨ１及びＣＨ２）で送信されることになる。
【００５９】
図７は、受信装置２２の構成を示す図である。図７に示す受信装置２２は、受信手段に対応するアンテナ２２０−１及び２２０−２と、受信手段に対応するＲ／Ｆ回路２２２−１及び２２２−２と、Ａ／Ｄコンバータ２２４−１及び２２４−２と、ＦＦＴ２２６−１及び２２６−２と、タイミング一致処理手段及び遅延手段に対応する遅延部２２８と、合成手段に対応する合成部２３０と、誤り訂正復号化・デインターリーブ部２３２とにより構成される。
【００６０】
Ｒ／Ｆ回路２２４−１は、アンテナ２２０−１を介して、送信部１３−１からのＣＨ１のアナログ信号を受信し、Ａ／Ｄコンバータ２２４−１へ出力する。Ａ／Ｄコンバータ２２４−１は、入力したアナログ信号をＯＦＤＭ信号に変換し、ＦＦＴ２２６−１へ出力する。ＦＦＴ２２６−１は、入力したＯＦＤＭ信号について高速フーリエ変換処理を行い、ＯＦＤＭフレームに復調する。このＯＦＤＭフレームは、上述したように、放送データが含まれる構成となっている。更に、ＦＦＴ２０８は、ＯＦＤＭフレームに含まれる放送データを遅延部２２８へ出力する。遅延部２２８は、放送データを入力すると、送信装置１１における遅延部１２での放送データの保持時間（遅延時間）だけ保持し、合成部２３０へ出力する。
【００６１】
一方、Ｒ／Ｆ回路２２４−２は、Ｒ／Ｆ回路２２４−１によるＣＨ１のアナログ信号の受信から遅延時間経過後に、アンテナ２２０−２を介して、送信部１３−２からのＣＨ２のアナログ信号を受信し、Ａ／Ｄコンバータ２２４−２へ出力する。Ａ／Ｄコンバータ２２４−２は、入力したアナログ信号をＯＦＤＭ信号に変換し、ＦＦＴ２２６−２へ出力する。ＦＦＴ２２６−２は、入力したＯＦＤＭ信号について高速フーリエ変換処理を行い、ＯＦＤＭフレームに復調する。更に、ＦＦＴ２２６−２は、ＯＦＤＭフレームに含まれる放送データを合成部２３０へ出力する。
【００６２】
合成部２３０は、ＦＦＴ２２６−２からの放送データと、遅延部２２８からの放送データとを入力する。上述したように、Ｒ／Ｆ回路２２４−１がＣＨ１のアナログ信号を受信してから遅延時間経過後に、Ｒ／Ｆ回路２２４−２がＣＨ２のアナログ信号を受信しており、Ｒ／Ｆ回路２２４−１における遅延部２２８は、入力した放送データを遅延時間だけ保持して合成部２３０へ出力している。また、Ｒ／Ｆ回路２２４−１によって受信されたＣＨ１のアナログ信号に対応する放送データと、Ｒ／Ｆ回路２２４−２によって受信されたＣＨ２のアナログ信号に対応する放送データとは同一である。従って、合成部２３０には、ＦＦＴ２２６−２及び遅延部２２８から同時に同一の放送データが入力されることになる。合成部２１２−１は、同時に入力した同一の放送データを合成して１個の放送データを生成し、誤り訂正復号化・デインターリーブ部２３２へ出力する。
【００６３】
誤り訂正復号化・デインターリーブ部２３２は、放送データを入力すると、送信部１３−１及び１３−２内の誤り訂正符号化・インターリーブ部１２０における処理に対応するデインターリーブ処理及び誤り訂正復号化を行い、放送データを含む放送信号を生成し、外部へ出力する。この放送信号は、送信装置１１内の遅延部１２及び送信部１３−１に入力される放送信号と同一である。
【００６４】
このように、受信装置２２は、送信装置１１によって、二度のタイミンにおいて、それぞれ異なる周波数で送信される放送データを受信し、これらのタイミングを一致させた上で合成するする。従って、いずれかのタイミングあるいはいずれかの周波数で電波干渉が生じた場合にも適切な受信が可能となる。
【００６５】
なお、上述した実施形態では、市民バンド周波数での放送を受信する場合について説明したが、用途が限定されない他の周波数の放送信号を送受信する場合にも、同様に本発明を適用することができる。
【産業上の利用可能性】
【００６６】
以上のように、本発明に係る放送システム、送信装置、受信装置、送信方法及び受信方法は、用途の限定されない周波数での放送を適切に送受信可能であり、放送システム等として有用である。
【図面の簡単な説明】
【００６７】
【図１】放送システムの構成を示す図である。
【図２】送信装置の構成を示す図である。
【図３】放送データのセグメントへの割り当ての一例を示す図である。
【図４】受信装置の構成を示す図である。
【図５】放送システムの他の構成を示す図である。
【図６】送信部の構成を示す図である。
【図７】受信装置の他の構成を示す図である。
【符号の説明】
【００６８】
１０  送信装置
２０  受信装置
１０２  多重信号・階層分割部
１０４−１乃至１０４−ｎ  誤り訂正符号化・インターリーブ部
１０６−１乃至１０６−ｎ、２１０−１乃至２１０−ｎ  遅延部
１０８  マッピング・ＯＦＤＭフレーム構成部
１１０  ＩＦＦＴ
１１２  Ｄ／Ａコンバータ
１１４、２０４  Ｒ／Ｆ回路
１１８、２０２  アンテナ
２０６  Ａ／Ｄコンバータ
２０８  ＦＦＴ
２１２−１乃至２１２−ｎ  合成部
２１４−１乃至２１４−ｎ  誤り訂正復号化・デインターリーブ部
２１６  階層合成・多重化部
【図１】
2008271221.tif 000003
【図２】
2008271221.tif 000004
【図３】
2008271221.tif 000005
【図４】
2008271221.tif 000006
【図５】
2008271221.tif 000007
【図６】
2008271221.tif 000008
【図７】
2008271221.tif 000009